(57)【要約】【課題】船舶用の燃料供給システムが開示される。【解決手段】前記船舶用の燃料供給システムは、貯蔵タンク（Ｔ）から排出された液化ガスをエンジン（Ｅ）の要求圧力まで加圧するポンプ（１０）と、前記ポンプ（１０）によって圧縮された液化ガスを前記エンジン（Ｅ）の要求温度まで熱交換により加熱する熱交換器（２０）と、前記貯蔵タンク（Ｔ）から排出されて前記ポンプ（１０）及び前記熱交換器（２０）を通過した液化ガスを一時貯蔵して前記エンジン（Ｅ）に供給するバッファタンク（５０）とを備える。気体を気体供給ライン（Ｆ３）を介して前記バッファタンク（５０）に供給することで、前記バッファタンク（５０）の内部圧力を調節し、前記エンジン（Ｅ）で必要とされる量の液化ガスを前記バッファタンク（５０）から前記エンジン（Ｅ）に供給する。【選択図】図２
2021527590.tif 000002
【特許請求の範囲】
【請求項１】
貯蔵タンクから排出された液化ガスをエンジンの要求圧力まで加圧するポンプ；と、
前記ポンプによって加圧された液化ガスを前記エンジンの要求温度まで熱交換により加熱する熱交換器；と、
前記貯蔵タンクから排出されて前記ポンプ及び前記熱交換器を通過した液化ガスを一時貯蔵して前記エンジンに供給するバッファタンク；とを備え、
気体を気体供給ラインを介して前記バッファタンクに供給することで、前記バッファタンクの内部圧力を調節し、
前記エンジンで必要とされる量の液化ガスを前記バッファタンクから前記エンジンに供給することを特徴とする、船舶用の燃料供給システム。
【請求項２】
前記バッファタンクの内部の水位が上昇することで、前記バッファタンクの内部の液化ガスが前記貯蔵タンクに戻されるリターンラインをさらに備えることを特徴とする、請求項１に記載の船舶用の燃料供給システム。
【請求項３】
前記バッファタンクの内部のガスを前記貯蔵タンクに送るベントラインをさらに備えることを特徴とする、請求項２に記載の船舶用の燃料供給システム。
【請求項４】
前記バッファタンクの内部のガスをベントマスターに送るベントラインをさらに備えることを特徴とする、請求項２に記載の船舶用の燃料供給システム。
【請求項５】
前記バッファタンクの内部の液化ガスの水位を測定する水位センサ；と
前記リターンライン上に設置される第３バルブ；とをさらに備え、
前記第３バルブは、前記水位センサで測定された水位値に応じて前記バッファタンクから排出される液化ガスの流量を調節することを特徴とする、請求項２〜４の何れか１項に記載の船舶用の燃料供給システム。
【請求項６】
前記第３バルブは、平常時には閉鎖状態であり、前記水位センサで測定された水位値が第２設定値以上になると開放されることを特徴とする、請求項５に記載の船舶用の燃料供給システム。
【請求項７】
前記バッファタンクの内部圧力を測定する第３圧力センサをさらに備えることを特徴とする、請求項１〜４の何れか１項に記載の船舶用の燃料供給システム。
【請求項８】
前記気体供給ライン上に設置される第５バルブをさらに備え、
前記第５バルブは、前記第３圧力センサで測定された圧力値に応じて流体の流量を調節することを特徴とする、請求項７に記載の船舶用の燃料供給システム。
【請求項９】
前記ベントライン上に設置される第４バルブをさらに備え、
前記第４バルブは、前記第３圧力センサで測定された圧力値に応じて流体の流量を調節することを特徴とする、請求項７に記載の船舶用の燃料供給システム。
【請求項１０】
前記エンジンに供給される液化ガスに含まれる不純物をろ過する第１フィルタをさらに備えることを特徴とする、請求項１〜４の何れか１項に記載の船舶用の燃料供給システム。
【請求項１１】
前記第１フィルタは、前記熱交換器と前記バッファタンクとの間に設置されることを特徴とする、請求項１０に記載の船舶用の燃料供給システム。
【請求項１２】
液化ガスを圧縮及び加熱した後でエンジンに供給する船舶用の燃料供給方法において、
圧縮及び加熱された液化ガスをバッファタンクに一時貯蔵するステップと、
前記エンジンで必要とされる量の液化ガスを前記バッファタンクから前記エンジンに供給するステップと、
前記バッファタンクの内部の水位が上昇することで、前記バッファタンクの内部の液化ガスが貯蔵タンクに戻されるステップとを含むことを特徴とする、船舶用の燃料供給方法。
【請求項１３】
前記バッファタンクの内部のガスを前記貯蔵タンクに送るステップをさらに含むことを特徴とする、請求項１２に記載の船舶用の燃料供給方法。
【請求項１４】
前記バッファタンクの内部のガスをベントマスターに送るステップをさらに含むことを特徴とする、請求項１２に記載の船舶用の燃料供給方法。
【発明の詳細な説明】
【技術分野】
【０００１】
本発明は、非圧縮性流体をエンジンの燃料として使用する船舶における燃料供給システム及び燃料供給方法に関するものである。
【背景技術】
【０００２】
一般に、石油ガスは生産地で低温液化した液化石油ガス（Liquefied Petroleum Gas、以下、ＬＰＧという）の状態で製造した後、ＬＰＧ運搬船によって目的地まで遠距離輸送される。
【０００３】
従来のＬＰＧ運搬船におけるエンジン用燃料としては、ＨＦＯ（Heavy Fuel Oil）またはＭＤＯ（Marine Diesel Oil）などのオイル燃料が使用される。また、従来のＬＰＧ運搬船は、貨物としてのＬＰＧを貯蔵タンクで貯蔵して運搬するが、貯蔵タンクで発生したＢＯＧ（Boil Off Gas、ボイルオフガス）は再液化プラントで再液化された後、再び貯蔵タンクに移送されて貯蔵される。
【０００４】
このように、従来のＬＰＧ運搬船では、燃料と貨物とが２つのシステムで使用または処理され、貨物として貯蔵タンクに貯蔵されるＬＰＧを燃料として使用できるエンジンなどの手段は存在しなかった。
【０００５】
近年、貨物として貯蔵タンクに貯蔵されるＬＰＧをエンジンの燃料として供給する方案に対する関心が高まっている。
【発明の概要】
【発明が解決しようとする課題】
【０００６】
本発明は、非圧縮性流体をエンジンの燃料として供給しつつ、エンジンから排出された余剰液化ガスを貯蔵タンクに戻す際に、多量のフラッシュガスが発生する現象を防止する、船舶用の燃料供給システム及び燃料供給方法を提供する。
【課題を解決するための手段】
【０００７】
前記目的を達成するため本発明の一実施形態では、貯蔵タンクから排出された液化ガスをエンジンの要求圧力まで加圧するポンプと、前記ポンプによって加圧された液化ガスを前記エンジンの要求温度まで熱交換により加熱する熱交換器と、前記貯蔵タンクから排出されて前記ポンプ及び前記熱交換器を通過した液化ガスを一時貯蔵して前記エンジンに供給するバッファタンクとを備え、気体を気体供給ラインを介して前記バッファタンクに供給することで、前記バッファタンクの内部圧力を調節し、前記エンジンで必要とされる量の液化ガスを前記バッファタンクから前記エンジンに供給することを特徴とする、船舶用の燃料供給システムが提供される。
【０００８】
前記バッファタンクの内部の水位が上昇することで、前記バッファタンクの内部の液化ガスが前記貯蔵タンクに戻されるリターンラインをさらに備えることが好ましい。
【０００９】
前記バッファタンクの内部のガスを前記貯蔵タンクに送るベントラインをさらに備えることが好ましい。
【００１０】
前記バッファタンクの内部のガスをベントマスターに送るベントラインをさらに備えることが好ましい。
【００１１】
前記船舶用の燃料供給システムは、前記バッファタンクの内部の液化ガスの水位を測定する水位センサと前記リターンライン上に設置される第３バルブとをさらに備え、前記第３バルブは、前記水位センサで測定された水位値に応じて前記バッファタンクから排出される液化ガスの流量を調節することが好ましい。
【００１２】
前記第３バルブは、平常時には閉鎖状態であり、前記水位センサで測定された水位値が第２設定値以上になると開放されることが好ましい。
【００１３】
前記船舶用の燃料供給システムは、前記バッファタンクの内部圧力を測定する第３圧力センサをさらに備えることが好ましい。
【００１４】
前記船舶用の燃料供給システムは、前記気体供給ライン上に設置される第５バルブをさらに備え、前記第５バルブは、前記第３圧力センサで測定された圧力値に応じて流体の流量を調節することが好ましい。
【００１５】
前記船舶用の燃料供給システムは、前記ベントライン上に設置される第４バルブをさらに備え、前記第４バルブは、前記第３圧力センサで測定された圧力値に応じて流体の流量を調節することが好ましい。
【００１６】
前記船舶用の燃料供給システムは、前記エンジンに供給される液化ガスに含まれる不純物をろ過する第１フィルタをさらに備えることが好ましい。
【００１７】
前記第１フィルタは、前記熱交換器と前記バッファタンクとの間に設置されることが好ましい。
【００１８】
前記目的を達成するため本発明の他の一実施形態では、液化ガスを圧縮及び加熱した後でエンジンに供給する船舶用の燃料供給方法において、圧縮及び加熱された液化ガスをバッファタンクに一時貯蔵するステップと、前記エンジンで必要とされる量の液化ガスを前記バッファタンクから前記エンジンに供給するステップと、前記バッファタンクの内部の水位が上昇することで、前記バッファタンクの内部の液化ガスが貯蔵タンクに戻されるステップとを含むことを特徴とする、船舶用の燃料供給方法が提供される。
【００１９】
前記バッファタンクの内部のガスを前記貯蔵タンクに送るステップをさらに含むことが好ましい。
【００２０】
前記バッファタンクの内部のガスをベントマスターに送るステップをさらに含むことが好ましい。
【発明の効果】
【００２１】
本発明は、液体状態の非圧縮性流体をエンジンの燃料として供給する場合でも、エンジンに燃料を安定的に供給することができる。
【００２２】
本発明の一実施形態では、エンジンの上流にバッファタンクを設置することで、多量のフラッシュガス（flash gas）が発生する現象を防止することができる。これにより、多量のフラッシュガスを処理するための装置の追設や制御システムの設置を省略することができ、また、フラッシュガスを収容する貯蔵タンクの体積を大きく設計する必要もない。
【図面の簡単な説明】
【００２３】
【図１】本発明の第１実施形態に係る船舶用の燃料供給システムの概略図である。
【図２】本発明の第２実施形態に係る船舶用の燃料供給システムの概略図である。
【図３】本発明の第３実施形態に係る船舶用の燃料供給システムの概略図である。
【発明を実施するための形態】
【００２４】
以下、図面を参照して、本発明の実施形態の構成と作用を詳細に説明する。下記の実施形態は、他の様々な形態に変更することができ、本発明の技術思想の範囲は下記の実施形態によって限定されない。
【００２５】
図１は、本発明の第１実施形態に係る船舶用の燃料供給システムの概略図である。図１を参照して、本実施形態の船舶用の燃料供給システムは、ポンプ（１０）、熱交換器（２０）、第１圧力センサ（Ｐ１）、第１バルブ（Ｖ１）、第２圧力センサ（Ｐ２）及び第２バルブ（Ｖ２）を備える。
【００２６】
貯蔵タンク（Ｔ）は液化ガスを貯蔵し、貯蔵タンク（Ｔ）から排出された液化ガスはエンジン（Ｅ）に燃料として供給される。エンジン（Ｅ）は、液化石油ガス（ＬＰＧ）とディーゼル（Diesel）とを燃料として使用するＤＦ（Dual Fuel）エンジンである。
【００２７】
ポンプ（１０）は、貯蔵タンク（Ｔ）から排出された液化ガスをエンジン（Ｅ）の要求圧力まで加圧する。熱交換器（２０）は、ポンプ（１０）によって加圧された液化ガスをエンジン（Ｅ）の要求温度まで熱交換により加熱する。
【００２８】
第１圧力センサ（Ｐ１）は、熱交換器（２０）によって加熱された液化ガスをエンジン（Ｅ）に供給する燃料供給ライン（Ｆ１）上に設置されて、燃料供給ライン（Ｆ１）の圧力を測定する。第１バルブ（Ｖ１）は、燃料供給ライン（Ｆ１）上に設置されて、第１圧力センサ（Ｐ１）で測定された圧力値に応じて開閉されることで液化ガスの流量を調節する。
【００２９】
エンジン（Ｅ）の負荷が低下してエンジン（Ｅ）で必要とされる燃料の量が減少すると、消費される液化ガスの量が減少することで燃料供給ライン（Ｆ１）の圧力が上昇する。第１圧力センサ（Ｐ１）は、燃料供給ライン（Ｆ１）で上昇した圧力値を第１バルブ（Ｖ１）に送信し、第１バルブ（Ｖ１）が第１圧力センサ（Ｐ１）から燃料供給ライン（Ｆ１）で上昇した圧力値を受信すると、第１バルブ（Ｖ１）は開度を下げて液化ガスの流量を減少させる。
【００３０】
また、エンジン（Ｅ）の負荷が上昇してエンジン（Ｅ）で必要とされる燃料の量が増加すると、消費される液化ガスの量が増加することで燃料供給ライン（Ｆ１）の圧力が低下する。第１圧力センサ（Ｐ１）は、燃料供給ライン（Ｆ１）で低下した圧力値を第１バルブ（Ｖ１）に送信し、第１バルブ（Ｖ１）が第１圧力センサ（Ｐ１）から燃料供給ライン（Ｆ１）で低下した圧力値を受信すると、第１バルブ（Ｖ１）は開度を上げて液化ガスの流量を増加させる。
【００３１】
エンジン（Ｅ）の上流には、エンジン（Ｅ）に供給される液化ガスに含まれる不純物をろ過する第１フィルタ（３１）が設置される。第１フィルタ（３１）は、熱交換器（２０）と第１バルブ（Ｖ１）との間に設置されることが好ましい。
【００３２】
エンジン（Ｅ）に供給される液化ガスのうち、エンジン（Ｅ）で使用されずに残った余剰液化ガスは、再び貯蔵タンク（Ｔ）に送られる。本実施形態では、エンジン（Ｅ）で必要とされる量を超える量の液化ガスをエンジン（Ｅ）に供給した後、エンジン（Ｅ）で使用されずに残った液化ガスをエンジン（Ｅ）から排出させて貯蔵タンク（Ｔ）に戻す。
【００３３】
気体状態の圧縮性流体（Compressible Fluid）をエンジン（Ｅ）の燃料として供給する場合、燃料供給ライン（Ｆ１）をエンジン（Ｅ）で要求される量よりも少し高い圧力で満しておくことで、圧縮性流体である燃料がある程度圧縮された状態で燃料供給ライン（Ｆ１）に存在する。これにより、エンジン（Ｅ）が急に大量の燃料を必要とする場合でも、燃料を直ぐに供給することができるため、エンジン（Ｅ）の負荷が変動しても安定的に燃料を供給することができる。
【００３４】
しかし、液体状態の非圧縮性流体（Incompressible Fluid）をエンジン（Ｅ）の燃料として供給する場合、非圧縮性流体は圧力を加えても体積の変化が微々たるものであるため、燃料供給ライン（Ｆ１）をエンジン（Ｅ）で要求される量よりも少し高い圧力で満たしておく方法を使用することができない。
【００３５】
さらに、エンジン（Ｅ）で急に大量の燃料を必要とする場合、エンジン（Ｅ）が必要とする量の燃料を供給することができなくなり、エンジン（Ｅ）においてキャビテーション（Cavitation）などが発生する虞がある。
【００３６】
したがって、本発明の発明者らは、エンジン（Ｅ）に供給される燃料が不足する場合を発生させるよりも、エンジンで必要な量よりも多量の燃料を供給する方がより良いと判断した。
【００３７】
本実施形態では、エンジン（Ｅ）で要求される量の液化ガスのみをエンジン（Ｅ）に供給するのではなく、エンジン（Ｅ）の負荷変動に対応できる十分な量の液化ガスをエンジン（Ｅ）に供給し、エンジン（Ｅ）で使用されずに残った余剰液化ガスをエンジン（Ｅ）から排出させる。
【００３８】
したがって、本発明では、液体状態の非圧縮性流体をエンジンの燃料として供給する場合でも、エンジンに燃料を安定的に供給することができる。
【００３９】
本実施形態では、エンジン（Ｅ）の要求量の約１００％〜１２０％の液化ガスをエンジン（Ｅ）に供給し、好ましくは、エンジン（Ｅ）の要求量の約１１０％の液化ガスをエンジン（Ｅ）に供給する。
【００４０】
第２圧力センサ（Ｐ２）は、エンジン（Ｅ）から排出された余剰液化ガスを貯蔵タンク（Ｔ）に送る燃料排出ライン（Ｆ２）上に設置されて、燃料排出ライン（Ｆ２）の圧力を測定する。第２バルブ（Ｖ２）は、燃料排出ライン（Ｆ２）上に設置されて、第２圧力センサ（Ｐ２）で測定された圧力値が第１設定値以下になるように液化ガスの流量を調節する。エンジン（Ｅ）の要求圧力まで加圧された高圧の余剰液化ガスは、貯蔵タンク（Ｔ）に戻される際に第２バルブ（Ｖ２）によって圧力が低下する。
【００４１】
エンジン（Ｅ）の下流には、エンジン（Ｅ）から排出された余剰液化ガスに含まれる不純物をろ過する第２フィルタ（３２）が設置される。第２フィルタ（３２）は、第２バルブ（Ｖ２）と貯蔵タンク（Ｔ）との間に設置されることが好ましい。
【００４２】
エンジン（Ｅ）と第２バルブ（Ｖ２）との間には、第１ノックアウトドラム（４１）が設置される。第２バルブ（Ｖ２）と貯蔵タンク（Ｔ）との間には、第２ノックアウトドラム（４２）が設置される。
【００４３】
ノックアウトドラム（Knock Out Drum、KO Drum）は、非常事態により燃料を排出する必要がある場合に、ノックアウトドラムを介して気体状態の燃料のみを排出して、その他の燃料を貯蔵するか貯蔵タンク（Ｔ）に戻すバッファ（Buffer）の役割を担う。
【００４４】
第１ノックアウトドラム（４１）と第２ノックアウトドラム（４２）とから排出されたガスは、ベントマスター（Vent Master）に送られる。
【００４５】
一方、エンジン（Ｅ）から排出された余剰液化ガスが第２バルブ（Ｖ２）によって減圧されることで発生するフラッシュガスを、再液化システムに供給して再液化することもできる。
【００４６】
図２は、本発明の第２実施形態に係る船舶用の燃料供給システムの概略図である。
【００４７】
図２を参照して、本実施形態の船舶用の燃料供給システムは、第１実施形態と同様に、貯蔵タンク（Ｔ）から排出された液化ガスをエンジン（Ｅ）の要求圧力まで加圧するポンプ（１０）と、ポンプ（１０）によって加圧された液化ガスをエンジン（Ｅ）の要求温度まで熱交換により加熱する熱交換器（２０）とを備える。熱交換器（２０）によって加熱された液化ガスはエンジン（Ｅ）に供給される。また、エンジン（Ｅ）の上流には、第１実施形態と同様に、エンジン（Ｅ）に供給される液化ガスに含まれる不純物をろ過する第１フィルタ（３１）が設置される。
【００４８】
ただし、本実施形態の船舶用の燃料供給システムは、第１実施形態と比較して、バッファタンク（５０）をさらに備え、第１圧力センサ（Ｐ１）及び第１バルブ（Ｖ１）を設けない点で相違する。
【００４９】
バッファタンク（５０）は、貯蔵タンク（Ｔ）から排出されてポンプ（１０）及び熱交換器（２０）を通過した液化ガスを一時貯蔵してエンジン（Ｅ）に供給する。第１実施形態では、エンジン（Ｅ）の負荷変動に対応できる十分な量の液化ガスをエンジン（Ｅ）に供給し、エンジン（Ｅ）で使用されずに残った余剰液化ガスをエンジン（Ｅ）から排出するのに対して、本実施形態では、エンジン（Ｅ）で必要とされる量の液化ガスをバッファタンク（５０）からエンジン（Ｅ）に供給し、エンジン（Ｅ）の負荷が減少し続けてバッファタンク（５０）の内部の水位が上昇することで、バッファタンク（５０）の内部の液化ガスはリターンライン（Ｆ４）によって貯蔵タンク（Ｔ）に戻される。
【００５０】
バッファタンク（５０）には、バッファタンク（５０）の内部の液化ガスの水位を測定する水位センサ（Ｌ）が設置される。エンジン（Ｅ）で使用されずに残った余剰液化ガスをバッファタンク（５０）から貯蔵タンク（Ｔ）に戻すリターンライン（Ｆ４）上には、その開閉により流体の流量を調節する第３バルブ（Ｖ３）が設置される。
【００５１】
第３バルブ（Ｖ３）は、水位センサ（Ｌ）で測定されたバッファタンク（５０）の内部の水位値に応じて開閉されることで、バッファタンク（５０）から排出される液化ガスの流量を調節する。第３バルブ（Ｖ３）は平常時（Normal Operation）には閉鎖状態で維持される。水位センサ（Ｌ）で測定されるバッファタンク（５０）の内部の水位値が第２設定値以上になると、第３バルブ（Ｖ３）が開放されて、バッファタンク（５０）の内部の液化ガスが貯蔵タンク（Ｔ）に送られる。
【００５２】
バッファタンク（５０）は、その内部に窒素（Ｎ２）などの気体を供給することで、バッファタンク（５０）の内部圧力が維持及び調節される。バッファタンク（５０）の内部圧力を維持及び調節することで、エンジン（Ｅ）で必要とされる圧力の液化ガスを燃料として供給することができるため、第１実施形態のように第１圧力センサ（Ｐ１）及び第１バルブ（Ｖ１）によってエンジン（Ｅ）に送られる液化ガスの圧力を調整する必要がない。したがって、本実施形態では、第１実施形態で設置される第１圧力センサ（Ｐ１）及び第１バルブ（Ｖ１）を設置しなくても良い。
【００５３】
バッファタンク（５０）には、バッファタンク（５０）の内部圧力を測定する第３圧力センサ（Ｐ３）が設置される。バッファタンク（５０）の内部のガス（内部圧力を維持及び調節するために供給される窒素などのガス、蒸発ガス及びフラッシュガスを含む。）を排出するベントライン（Ｆ５）上には、その開閉により流体の流量を調節する第４バルブ（Ｖ４）が設置される。バッファタンク（５０）に窒素などの気体を供給する気体供給ライン（Ｆ３）上には、その開閉により流体の流量を調節する第５バルブ（Ｖ５）が設置される。
【００５４】
第４バルブ（Ｖ４）及び第５バルブ（Ｖ５）は、バッファタンク（５０）の内部圧力が一定範囲で維持されるように、第３圧力センサ（Ｐ３）で測定したバッファタンク（５０）の内部圧力値に応じて開閉されることで流体の流量を調節する。第４バルブ（Ｖ４）の開閉度を調節することで、バッファタンク（５０）の内部のガスをベントライン（Ｆ５）によって貯蔵タンク（Ｔ）に送ることができ、第５バルブ（Ｖ５）の開閉度を調節することで、窒素などの気体をバッファタンク（５０）に供給することができる。第５バルブ（Ｖ５）は、平常時には開放した状態で維持され、開閉度が調節される。
【００５５】
本実施形態の船舶用の燃料供給システムが第１フィルタ（３１）を備える場合、第１フィルタ（３１）は熱交換器（２０）とバッファタンク（５０）との間に設置されることが好ましい。
【００５６】
第１実施形態では、エンジン（Ｅ）の要求圧力まで加圧された高圧の余剰液化ガスを貯蔵タンク（Ｔ）に戻す際に、液化ガスの圧力が貯蔵タンク（Ｔ）の内部圧力まで急激に減少することで、多量のフラッシュガスが発生するという問題がある。多量のフラッシュガスが発生する場合、貯蔵タンク（Ｔ）、ノックアウトドラム（４１，４２）、ベントマスターなどの各体積をフラッシュガスを収容できるように大きく設計する必要があり、また、多量のフラッシュガスを処理するための装置の追設や制御システムが必要になる。
【００５７】
本実施形態では、バッファタンク（５０）を設置して、バッファタンク（５０）からエンジン（Ｅ）で必要とされる量の液化ガスを供給するため、エンジン（Ｅ）の要求圧力まで加圧された液化ガスを貯蔵タンク（Ｔ）に送る状況が発生せず、多量のフラッシュガスが発生する現象を防止することができる。
【００５８】
したがって、本実施形態は、多量のフラッシュガスを処理するためにノックアウトドラム（４１，４２）、ベントマスターなどの追加装置や制御システムの設置を省略することができ、フラッシュガスを収容するために貯蔵タンク（Ｔ）の体積を大きく設計する必要がないという長所がある。
【００５９】
図３は、本発明の第３実施形態に係る船舶用の燃料供給システムの概略図である。
【００６０】
図３を参照して、本実施形態の船舶用の燃料供給システムは、図２で示す第２実施形態の船舶用の燃料供給システムと比較して、バッファタンク（５０）から排出されたガスをベントライン（Ｆ５）を介して貯蔵タンク（Ｔ）に送るのではなく、ベントマスターに送るという点で相違し、その他の部材の役割とそれに伴う効果は第２実施形態と同様である。
【００６１】
本実施形態は、バッファタンク（５０）から排出されたガスを貯蔵タンク（Ｔ）に送らないため、第２実施形態に比べて貯蔵タンク（Ｔ）の体積を小さく設計することができるという長所がある。
【００６２】
本発明は前記実施形態に限定されず、本発明の技術的要旨を超えない範囲内で多様に変形または変更して実施できることは、本発明の属する技術分野における当業者にとって自明である。
【図１】
2021527590.tif 000003
【図２】
2021527590.tif 000004
【図３】
2021527590.tif 000005
【国際調査報告】
2021527590.tif 000006
2021527590.tif 000007
2021527590.tif 000008
2021527590.tif 000009